(57)【要約】  【課題】  光ピックアップにおける光検出器の４分割の検出領域の位置バランスのずれで発生するクロストークを軽減できる機能を有する光ディスク装置を提供する。  【解決手段】  フォーカスサーチを行うためのフォーカスエラー信号の振幅レベルが測定され、測定されたフォーカスエラー信号の振幅レベルが目標とする値になるように、光検出器の４分割された各検出領域からの各検出信号を増幅する各フォーカスサーボ用駆動アンプのゲインが調整の初期値として設定される。これにより、フォーカスエラー信号の振幅レベルが調整され、次に、各検出領域からの検出信号の振幅レベルが測定され、測定された各検出信号の振幅レベルに基づいてクロストークをキャンセルできるように、該当フォーカスサーボ用駆動アンプのゲインが調整される。【選択図】      図７
2007058911.tif 000002
【特許請求の範囲】
【請求項１】
レーザ光が照射された光ディスクからの反射光を４分割の検出領域により受光する光検
出器を有する光ピックアップと、この光ピックアップの光ディスクに対するトラッキング
サーボおよびフォーカスサーボを行うサーボ制御部とを備え、光ディスクに記録された情
報を再生したり、光ディスクに対して情報を記録／再生したりする光ディスク装置におい
て、
前記光ピックアップがＣＤ用レーザ光をＣＤに照射して、光ディスクがＣＤである判別
を行うための第１の処理期間に、フォーカスサーチを行うためのフォーカスエラー信号の
振幅レベルを測定するフォーカスエラー信号振幅レベル測定手段と、前記測定されたフォ
ーカスエラー信号の振幅レベルが目標とする値になるように、前記光検出器の４分割され
た各検出領域からの各検出信号を増幅する各フォーカスサーボ用駆動アンプのゲインを調
整の初期値として設定し、前記フォーカスエラー信号の振幅レベルを調整するフォーカス
エラー信号振幅レベル調整手段と、
前記第１の処理期間と後記第３の処理期間との間の第２の処理期間に、前記各検出領域
からの検出信号の振幅レベルを測定する検出信号振幅レベル測定手段と、この検出信号振
幅レベル測定手段により測定された各検出信号の振幅レベルに基づいてクロストークをキ
ャンセルできるように、前記４分割された各検出領域の対角同士の検出領域からの検出信
号の振幅レベルよりゲイン差を算出し、振幅レベルが大きい方の検出信号を出力する該当
フォーカスサーボ用駆動アンプのゲインは前記ゲイン差だけ下げ、振幅レベルが小さい方
の検出信号を出力する該当フォーカスサーボ用駆動アンプのゲインは前記ゲイン差だけ上
げるクロストークキャンセル調整手段と、
前記第１の処理期間において光ディスクがＣＤであると判別された場合に、前記光ピッ
クアップがＣＤ用レーザ光をＣＤに照射してフォーカスサーチを行う第３の処理期間に、
前記フォーカスエラー信号の振幅レベルを測定するフォーカスエラー信号振幅レベル測定
手段と、このフォーカスエラー信号振幅レベル測定手段により測定されたフォーカスエラ
ー信号の振幅レベルに基づいて前記フォーカスエラー信号のＳ字バランス調整を行うＳ字
バランス調整手段と、
このＳ字バランス調整手段によりフォーカスエラー信号のＳ字バランス調整が行われた
後、前記フォーカスサーボの制御をオンさせるフォーカスオン手段とを、前記サーボ制御
部に設けたことを特徴とする光ディスク装置。
【請求項２】
レーザ光が照射された光ディスクからの反射光を４分割の検出領域により受光する光検
出器を有する光ピックアップと、この光ピックアップの光ディスクに対するトラッキング
サーボおよびフォーカスサーボを行うサーボ制御部とを備え、光ディスクに記録された情
報を再生したり、光ディスクに対して情報を記録／再生したりする光ディスク装置におい
て、
フォーカスサーチを行うためのフォーカスエラー信号の振幅レベルを測定し、前記測定
されたフォーカスエラー信号の振幅レベルが目標とする値になるように、前記光検出器の
４分割された各検出領域からの各検出信号を増幅する各フォーカスサーボ用駆動アンプの
ゲインを調整の初期値として設定して、前記フォーカスエラー信号の振幅レベルを調整し
、次に、前記各検出領域からの検出信号の振幅レベルを測定し、この測定した各検出信号
の振幅レベルに基づいてクロストークをキャンセルできるように、該当フォーカスサーボ
用駆動アンプのゲインを調整する機能を前記サーボ制御部に設けたことを特徴とする光デ
ィスク装置。
【請求項３】
レーザ光が照射された光ディスクからの反射光を４分割の検出領域により受光する光検
出器を有する光ピックアップと、この光ピックアップの光ディスクに対するトラッキング
サーボおよびフォーカスサーボを行うサーボ制御部とを備え、光ディスクに記録された情
報を再生したり、光ディスクに対して情報を記録／再生したりする光ディスク装置におい
て、
前記光ピックアップがＣＤ用レーザ光をＣＤに照射して、光ディスクがＣＤである判別
を行うための第１の処理期間に、フォーカスサーチを行うためのフォーカスエラー信号の
振幅レベルを測定するフォーカスエラー信号振幅レベル測定手段と、前記測定されたフォ
ーカスエラー信号の振幅レベルが目標とする値になるように、前記光検出器の４分割され
た各検出領域からの各検出信号を増幅する各フォーカスサーボ用駆動アンプのゲインを調
整の初期値として設定し、前記フォーカスエラー信号の振幅レベルを調整するフォーカス
エラー信号振幅レベル調整手段と、
前記第１の処理期間と後記第３の処理期間との間の第２の処理期間に、前記各検出領域
からの検出信号の振幅レベルを測定する検出信号振幅レベル測定手段と、この検出信号振
幅レベル測定手段により測定された各検出信号の振幅レベルに基づいてクロストークをキ
ャンセルできるように、該当フォーカスサーボ用駆動アンプのゲインを調整するクロスト
ークキャンセル調整手段と、
前記第１の処理期間において光ディスクがＣＤであると判別された場合に、前記光ピッ
クアップがＣＤ用レーザ光をＣＤに照射してフォーカスサーチを行う第３の処理期間に、
前記フォーカスエラー信号の振幅レベルを測定するフォーカスエラー信号振幅レベル測定
手段と、このフォーカスエラー信号振幅レベル測定手段により測定されたフォーカスエラ
ー信号の振幅レベルに基づいて前記フォーカスエラー信号のＳ字バランス調整を行うＳ字
バランス調整手段と、
このＳ字バランス調整手段によりフォーカスエラー信号のＳ字バランス調整が行われた
後、前記フォーカスサーボの制御をオンさせるフォーカスオン手段とを、前記サーボ制御
部に設けたことを特徴とする光ディスク装置。
【請求項４】
前記クロストークキャンセル調整手段は、前記検出信号振幅レベル測定手段により測定
された各検出信号の振幅レベルに基づいてクロストークをキャンセルできるように、前記
４分割された各検出領域の対角同士の検出領域からの検出信号の振幅レベルよりゲイン差
を算出し、振幅レベルが大きい方の検出信号を出力する該当フォーカスサーボ用駆動アン
プのゲインは前記ゲイン差だけ下げ、振幅レベルが小さい方の検出信号を出力する該当フ
ォーカスサーボ用駆動アンプのゲインは前記ゲイン差だけ上げることを特徴とする請求項
３に記載の光ディスク装置。
【発明の詳細な説明】
【技術分野】
【０００１】
本発明は、光ディスクに記録された情報を再生したり、光ディスクに対して情報を記録
／再生したりする光ディスク装置に関し、特に、フォーカスエラー信号に現れるトラッキ
ングエラー信号のクロストーク成分を低減する機能を有する光ディスク装置に関する。
【背景技術】
【０００２】
従来から光ディスク装置においては、光ディスクに対して情報の再生、または記録／再
生を行うためのレーザ光を出射すると共に光ディスクからの反射光を受光する光ピックア
ップと、この光ピックアップの光ディスクに対するトラッキングサーボおよびフォーカス
サーボを行うサーボ制御部とを備えている。このような光ディスク装置は、光ピックアッ
プにより読み取られた光ディスクからのＲＦ信号を増幅するＲＦアンプにはフォーカスエ
ラー信号を生成するフォーカスエラー信号生成回路が備えられている。
【０００３】
図８は従来の光ディスク装置においてＲＦアンプに含まれるフォーカスエラー信号生成
回路の回路図を示す。このフォーカスエラー信号生成回路３７ａは、ＲＦアンプを構成す
るＩＣ（集積回路）内部に含まれ、光ピックアップに含まれる光検出器２ｂの検出領域Ａ
の出力信号である検出信号ａを入力するための入力端子ＶＩＮ５、光検出器２ｂの検出領
域Ｂの出力信号である検出信号ｂを入力するための入力端子ＶＩＮ６、光検出器２ｂの検
出領域Ｃの出力信号である検出信号ｃを入力するための入力端子ＶＩＮ７、および光検出
器２ｂの検出領域Ｄの出力信号である検出信号ｄを入力するための入力端子ＶＩＮ８を備
えている。なお、入力端子ＶＩＮ５，ＶＩＮ６，ＶＩＮ７，ＶＩＮ８は、この例の場合の
ＩＣのピン端子の名称であり、これに限ることはない。
【０００４】
ＶＩＮ５に入力された検出領域Ａの出力信号である検出信号ａは、２段のフォーカスサ
ーボ用駆動アンプａ１，ａ２で増幅されて加算器３１に入力される。ＶＩＮ６に入力され
た検出領域Ｂの出力信号である検出信号ｂは、２段のフォーカスサーボ用駆動アンプｂ１
，ｂ２で増幅されて加算器３２に入力される。また、ＶＩＮ７に入力された検出領域Ｃの
出力信号である検出信号ｃは、２段のフォーカスサーボ用駆動アンプｃ１，ｃ２で増幅さ
れて加算器３１に入力される。ＶＩＮ８に入力された検出領域Ｄの出力信号である検出信
号ｄは、２段のフォーカスサーボ用駆動アンプｄ１，ｄ２で増幅されて加算器３２に入力
される。フォーカスサーボ用駆動アンプａ１〜ｄ２は、サーボ制御部４ａにより制御され
るゲイン変化処理回路Ｇによりゲインが調整される。
【０００５】
加算器３１は、フォーカスサーボ用駆動アンプａ２の出力信号とフォーカスサーボ用駆
動アンプｃ２の出力信号とを加算する。加算器３２は、フォーカスサーボ用駆動アンプｂ
２の出力信号とフォーカスサーボ用駆動アンプｄ２の出力信号とを加算する。減算器３３
は、加算器３１の出力信号から加算器３２の出力信号を減算し、この減算結果をフォーカ
スエラー信号ＦＥとして出力する。
【０００６】
このような構成のフォーカスエラー信号生成回路３７ａを有する従来の光ディスク装置
において、光ディスクのうち、ＤＶＤに比べてクロストーク量が多くなるＣＤを挿入して
からフォーカスサーボがオンするまでの調整処理を説明する。なお、検出領域Ａ，Ｂ，Ｃ
，Ｄの位置バランスがずれた場合に、ＤＶＤに比べてＣＤの方はクロストーク量が多くな
るのは、レーザパワーや波長の違い、あるいはディスク構造上の違いなどが考えられる。
【０００７】
ＣＤを光ディスク装置に挿入した後、ＣＤは回転し、ＣＤから記録情報が光ピックアッ
プにより読み取られ、光ピックアップの光検出器２ｂからはＲＦ信号が出力され、このＲ
Ｆ信号はＲＦアンプにより増幅され、サーボ制御部４ａに入力される。
【０００８】
さて、サーボ制御部４ａは、フォーカスサーボの制御を行う前に、ＣＤを立ち上げた後
、光ピックアップがＣＤ用レーザ光をＣＤに照射して、読み出し対象の光ディスクがＣＤ
である判別を行うための処理期間において、フォーカスサーチを行うためのフォーカスエ
ラー信号の振幅レベルを測定し、この測定されたフォーカスエラー信号の振幅レベルが目
標とする値になるように、フォーカスサーボ用駆動アンプａ１〜ｄ２のゲインを調整の初
期値として設定し、フォーカスエラー信号の振幅レベルを調整する。なお、１段目のフォ
ーカスサーボ用駆動アンプａ１〜ｄ１のゲインが同じ値に予め固定されている場合は、２
段目のフォーカスサーボ用駆動アンプａ２〜ｄ２のゲインの初期値を設定すれば良い。
【０００９】
次に、前記のように装置に挿入されている光ディスクがＣＤであると判別された場合に
、光ピックアップがＣＤ用レーザ光をＣＤに照射してフォーカスサーチを行う処理期間に
、前記フォーカスエラー信号の振幅レベルを測定し、この測定されたフォーカスエラー信
号の振幅レベルに基づいて、前記フォーカスエラー信号のＳ字バランス調整を行う。この
後、サーボ制御部４ａは、フォーカスサーボの制御をオンさせる。これにより、この場合
、光ピックアップのＣＤに対するフォーカスサーボの制御が可能になる。
【特許文献１】特開２００２−３２９２４号公報
【発明の開示】
【発明が解決しようとする課題】
【００１０】
ところで、光ピックアップは、光ディスクからの反射光を受光する田字状に配置された
４つの検出領域（例えば４つのフォトダイオードなどの受光素子による検出領域）Ａ，Ｂ
，Ｃ，Ｄを有した光検出器２ｂを備えているが、これらの受光素子の取り付け位置に誤差
（位置バランスずれ）があると、光ディスク上のランドとグループとを横切るトラックジ
ャンプ時に、トラッキングエラー信号の成分がフォーカスエラー信号に影響を与える現象
、即ち、Ｔ−Ｆクロストーク（以下単にクロストークという）が生じ、これにより、光ピ
ックアップから出射されるレーザ光のフォーカス外れが生じたり、フォーカスサーボがオ
ンしにくくなったりする。
【００１１】
この従来の光ディスク装置装置におけるフォーカスエラー信号生成回路３７ａでは、検
出領域Ａ，Ｂ，Ｃ，Ｄからの検出信号ａ，ｂ，ｃ，ｄに対するフォーカスサーボ用駆動ア
ンプａ１〜ｄ２のゲインは個別に調整していないので、検出領域Ａ，Ｂ，Ｃ，Ｄの位置バ
ランスずれがあると、位置バランスずれと同じ大きさだけゲイン倍してフォーカスサーボ
用駆動アンプａ２，ｂ２，ｃ２，ｄ２からの増幅された検出信号ａ，ｂ，ｃ，ｄの対角同
士の振幅レベル差が大きくなり、これにより、クロストーク量を軽減することができず、
この結果、光ピックアップの光ディスクに対するシークミスや光ピックアップの発振現象
が起きて、シーク中のフォーカス外れが生じるという課題がある。
【００１２】
なお、特許文献１の従来技術では、各受光出力の電圧レベルが検出されると、ゲイン調
整回路は、それらの各電圧レベルの和が予め設定される一定値になると共に、各電圧レベ
ルが等しくなるように各アンプのゲインを調整して第１加算出力および第２加算出力のレ
ベル調整を行い、フォーカスエラー信号が「０」となる受光状態の検出をフォーカスサー
チ時に行い、フォーカスエラー信号が「０」となる受光状態における４分割の検出領域に
おける各受光出力の出力レベルを等しくするべくフォーカスエラー信号に関係する受光レ
ベルのレベル調整を行ってオフセット補正を行っているが、この従来技術も、各受光出力
を個別には調整していないので、光ピックアップの４分割の検出領域の位置バランスずれ
の影響によるクロストーク量を軽減できず、この結果、光ピックアップの光ディスクに対
するシークミスや光ピックアップの発振現象が起きて、シーク中のフォーカス外れが生じ
るという課題がある。
【００１３】
本発明は、上記のような課題を解決するためになされたもので、光ピックアップにおけ
る光検出器の４分割の検出領域の位置バランスのずれで発生するクロストークを軽減でき
る機能を有する光ディスク装置を提供することを目的とする。
【課題を解決するための手段】
【００１４】
上記目的を達成するために、請求項１の発明は、レーザ光が照射された光ディスクから
の反射光を４分割の検出領域により受光する光検出器を有する光ピックアップと、この光
ピックアップの光ディスクに対するトラッキングサーボおよびフォーカスサーボを行うサ
ーボ制御部とを備え、光ディスクに記録された情報を再生したり、光ディスクに対して情
報を記録／再生したりする光ディスク装置において、前記光ピックアップがＣＤ用レーザ
光をＣＤに照射して、光ディスクがＣＤである判別を行うための第１の処理期間に、フォ
ーカスサーチを行うためのフォーカスエラー信号の振幅レベルを測定するフォーカスエラ
ー信号振幅レベル測定手段と、前記測定されたフォーカスエラー信号の振幅レベルが目標
とする値になるように、前記光検出器の４分割された各検出領域からの各検出信号を増幅
する各フォーカスサーボ用駆動アンプのゲインを調整の初期値として設定し、前記フォー
カスエラー信号の振幅レベルを調整するフォーカスエラー信号振幅レベル調整手段と、前
記第１の処理期間と後記第３の処理期間との間の第２の処理期間に、前記各検出領域から
の検出信号の振幅レベルを測定する検出信号振幅レベル測定手段と、この検出信号振幅レ
ベル測定手段により測定された各検出信号の振幅レベルに基づいてクロストークをキャン
セルできるように、前記４分割された各検出領域の対角同士の検出領域からの検出信号の
振幅レベルよりゲイン差を算出し、振幅レベルが大きい方の検出信号を出力する該当フォ
ーカスサーボ用駆動アンプのゲインは前記ゲイン差だけ下げ、振幅レベルが小さい方の検
出信号を出力する該当フォーカスサーボ用駆動アンプのゲインは前記ゲイン差だけ上げる
クロストークキャンセル調整手段と、前記第１の処理期間において光ディスクがＣＤであ
ると判別された場合に、前記光ピックアップがＣＤ用レーザ光をＣＤに照射してフォーカ
スサーチを行う第３の処理期間に、前記フォーカスエラー信号の振幅レベルを測定するフ
ォーカスエラー信号振幅レベル測定手段と、このフォーカスエラー信号振幅レベル測定手
段により測定されたフォーカスエラー信号の振幅レベルに基づいて前記フォーカスエラー
信号のＳ字バランス調整を行うＳ字バランス調整手段と、このＳ字バランス調整手段によ
りフォーカスエラー信号のＳ字バランス調整が行われた後、前記フォーカスサーボの制御
をオンさせるフォーカスオン手段とを、前記サーボ制御部に設けたことを特徴とする光デ
ィスク装置を提供する。
【００１５】
この構成において、フォーカスサーボの制御を行う前に、ＣＤを立ち上げた後、サーボ
制御部のフォーカスエラー信号振幅レベル測定手段は、光ピックアップがＣＤ用レーザ光
をＣＤに照射して、読み出し対象の光ディスクがＣＤである判別を行うための第１の処理
期間において、フォーカスサーチを行うためのフォーカスエラー信号の振幅レベルを測定
し、フォーカスエラー信号振幅レベル調整手段は、前記測定されたフォーカスエラー信号
の振幅レベルが目標とする値になるように、フォーカスサーボ用駆動アンプのゲインを調
整の初期値として設定し、フォーカスエラー信号の振幅レベルを調整する。
【００１６】
次に、第２の処理期間において、検出信号振幅レベル測定手段は、各検出領域からの検
出信号の振幅レベルを測定する。そして、クロストークキャンセル調整手段は、検出信号
振幅レベル測定手段により測定された各検出信号の振幅レベルに基づいてクロストークを
キャンセルできるように、各検出領域の対角同士の検出領域からの検出信号の振幅レベル
よりゲイン差を算出し、振幅レベルが大きい方の検出信号を出力する該当フォーカスサー
ボ用駆動アンプのゲインは前記ゲイン差だけ下げ、振幅レベルが小さい方の検出信号を出
力する該当フォーカスサーボ用駆動アンプのゲインは前記ゲイン差だけ上げる調整を行う
。
【００１７】
前記第１の処理期間において装置に挿入されている光ディスクがＣＤであると判別され
た場合に、フォーカスエラー信号振幅レベル測定手段は、光ピックアップがＣＤ用レーザ
光をＣＤに照射してフォーカスサーチを行う第３の処理期間に、前記フォーカスエラー信
号の振幅レベルを測定し、Ｓ字バランス調整手段は、フォーカスエラー信号振幅レベル測
定手段により測定されたフォーカスエラー信号の振幅レベルに基づいて、前記フォーカス
エラー信号のＳ字バランス調整を行う。この後、フォーカスオン手段はフォーカスサーボ
の制御をオンさせる。
【００１８】
この構成によれば、各検出領域からの検出信号に対する各フォーカスサーボ用駆動アン
プのゲインは個別に調整されるので、各検出領域の位置バランスずれがあっても、各フォ
ーカスサーボ用駆動アンプから出力される各検出信号のレベルが同じようになり、これに
より、クロストーク量が軽減することができ、この結果、光ピックアップの光ディスク（
この場合、特にＣＤ）に対するシークミスや光ピックアップの発振現象を抑え、シーク中
のフォーカス外れを防止することができる。
【００１９】
請求項２の発明は、レーザ光が照射された光ディスクからの反射光を４分割の検出領域
により受光する光検出器を有する光ピックアップと、この光ピックアップの光ディスクに
対するトラッキングサーボおよびフォーカスサーボを行うサーボ制御部とを備え、光ディ
スクに記録された情報を再生したり、光ディスクに対して情報を記録／再生したりする光
ディスク装置において、フォーカスサーチを行うためのフォーカスエラー信号の振幅レベ
ルを測定し、前記測定されたフォーカスエラー信号の振幅レベルが目標とする値になるよ
うに、前記光検出器の４分割された各検出領域からの各検出信号を増幅する各フォーカス
サーボ用駆動アンプのゲインを調整の初期値として設定して、前記フォーカスエラー信号
の振幅レベルを調整し、次に、前記各検出領域からの検出信号の振幅レベルを測定し、こ
の測定した各検出信号の振幅レベルに基づいてクロストークをキャンセルできるように、
該当フォーカスサーボ用駆動アンプのゲインを調整する機能を前記サーボ制御部に設けた
ことを特徴とする光ディスク装置を提供する。
【００２０】
この構成において、フォーカスサーチを行うためのフォーカスエラー信号の振幅レベル
が測定され、この測定されたフォーカスエラー信号の振幅レベルが目標とする値になるよ
うに、光検出器の４分割された各検出領域からの各検出信号を増幅する各フォーカスサー
ボ用駆動アンプのゲインが調整の初期値として設定される。これにより、前記フォーカス
エラー信号の振幅レベルが調整され、次に、前記各検出領域からの検出信号の振幅レベル
が測定され、この測定された各検出信号の振幅レベルに基づいてクロストークをキャンセ
ルできるように、該当フォーカスサーボ用駆動アンプのゲインが調整される。
【００２１】
この構成によれば、各検出領域からの検出信号に対する各フォーカスサーボ用駆動アン
プのゲインは個別に調整されるので、各検出領域の位置バランスずれがあっても、各フォ
ーカスサーボ用駆動アンプから出力される各検出信号のレベルが同じようになり、これに
より、クロストーク量が軽減することができ、これにより、クロストーク量が軽減するこ
とができ、この結果、光ピックアップの光ディスクに対するシークミスや光ピックアップ
の発振現象を抑え、シーク中のフォーカス外れを防止することができる。
【００２２】
請求項３の発明は、レーザ光が照射された光ディスクからの反射光を４分割の検出領域
により受光する光検出器を有する光ピックアップと、この光ピックアップの光ディスクに
対するトラッキングサーボおよびフォーカスサーボを行うサーボ制御部とを備え、光ディ
スクに記録された情報を再生したり、光ディスクに対して情報を記録／再生したりする光
ディスク装置において、前記光ピックアップがＣＤ用レーザ光をＣＤに照射して、光ディ
スクがＣＤである判別を行うための第１の処理期間に、フォーカスサーチを行うためのフ
ォーカスエラー信号の振幅レベルを測定するフォーカスエラー信号振幅レベル測定手段と
、前記測定されたフォーカスエラー信号の振幅レベルが目標とする値になるように、前記
光検出器の４分割された各検出領域からの各検出信号を増幅する各フォーカスサーボ用駆
動アンプのゲインを調整の初期値として設定し、前記フォーカスエラー信号の振幅レベル
を調整するフォーカスエラー信号振幅レベル調整手段と、前記第１の処理期間と後記第３
の処理期間との間の第２の処理期間に、前記各検出領域からの検出信号の振幅レベルを測
定する検出信号振幅レベル測定手段と、この検出信号振幅レベル測定手段により測定され
た各検出信号の振幅レベルに基づいてクロストークをキャンセルできるように、該当フォ
ーカスサーボ用駆動アンプのゲインを調整するクロストークキャンセル調整手段と、前記
第１の処理期間において光ディスクがＣＤであると判別された場合に、前記光ピックアッ
プがＣＤ用レーザ光をＣＤに照射してフォーカスサーチを行う前記第３の処理期間に、前
記フォーカスエラー信号の振幅レベルを測定するフォーカスエラー信号振幅レベル測定手
段と、このフォーカスエラー信号振幅レベル測定手段により測定されたフォーカスエラー
信号の振幅レベルに基づいて前記フォーカスエラー信号のＳ字バランス調整を行うＳ字バ
ランス調整手段と、このＳ字バランス調整手段によりフォーカスエラー信号のＳ字バラン
ス調整が行われた後、前記フォーカスサーボの制御をオンさせるフォーカスオン手段とを
、前記サーボ制御部に設けたことを特徴とする光ディスク装置を提供する。
【００２３】
この構成において、フォーカスサーボの制御を行う前に、ＣＤを立ち上げた後、サーボ
制御部のフォーカスエラー信号振幅レベル測定手段は、光ピックアップがＣＤ用レーザ光
をＣＤに照射して、光ディスクがＣＤである判別を行うための第１の処理期間において、
フォーカスサーチを行うためのフォーカスエラー信号の振幅レベルを測定し、フォーカス
エラー信号振幅レベル調整手段は、前記測定されたフォーカスエラー信号の振幅レベルが
目標とする値になるように、フォーカスサーボ用駆動アンプのゲインを調整の初期値とし
て設定し、フォーカスエラー信号の振幅レベルを調整する。
【００２４】
次に、第２の処理期間において、検出信号振幅レベル測定手段は、各検出領域からの検
出信号の振幅レベルを測定する。そして、クロストークキャンセル調整手段は、検出信号
振幅レベル測定手段により測定された各検出信号の振幅レベルに基づいてクロストークを
キャンセルできるように、該当フォーカスサーボ用駆動アンプのゲインを調整する。
【００２５】
前記第１の処理期間において装置に挿入されている光ディスクがＣＤであると判別され
た場合に、フォーカスエラー信号振幅レベル測定手段は、光ピックアップがＣＤ用レーザ
光をＣＤに照射してフォーカスサーチを行う第３の処理期間に、前記フォーカスエラー信
号の振幅レベルを測定し、Ｓ字バランス調整手段は、フォーカスエラー信号振幅レベル測
定手段により測定されたフォーカスエラー信号の振幅レベルに基づいて、前記フォーカス
エラー信号のＳ字バランス調整を行う。この後、フォーカスオン手段はフォーカスサーボ
の制御をオンさせる。
【００２６】
この構成によれば、各検出領域からの検出信号に対する各フォーカスサーボ用駆動アン
プのゲインは個別に調整されるので、各検出領域の位置バランスずれがあっても、各フォ
ーカスサーボ用駆動アンプから出力される各検出信号のレベルが同じようになり、これに
より、クロストーク量が軽減することができ、この結果、光ピックアップの光ディスク（
この場合、特にＣＤ）に対するシークミスや光ピックアップの発振現象を抑え、シーク中
のフォーカス外れを防止することができる。
【００２７】
請求項４の発明では、請求項３の発明において、前記クロストークキャンセル調整手段
は、検出信号振幅レベル測定手段により測定された各検出信号の振幅レベルに基づいてク
ロストークをキャンセルできるように、４分割された各検出領域の対角同士の検出領域か
らの検出信号の振幅レベルよりゲイン差を算出し、振幅レベルが大きい方の検出信号を出
力する該当フォーカスサーボ用駆動アンプのゲインは前記ゲイン差だけ下げ、振幅レベル
が小さい方の検出信号を出力する該当フォーカスサーボ用駆動アンプのゲインは前記ゲイ
ン差だけ上げるようにしたので、各フォーカスサーボ用駆動アンプから出力される各検出
信号のレベルが同じようになり、クロストーク量の軽減に貢献できる。
【発明の効果】
【００２８】
以上のように本発明によれば、光ピックアップがＣＤ用レーザ光をＣＤに照射して、光
ディスクがＣＤである判別を行うための第１の処理期間に、フォーカスサーチを行うため
のフォーカスエラー信号の振幅レベルを測定するフォーカスエラー信号振幅レベル測定手
段と、前記測定されたフォーカスエラー信号の振幅レベルが目標とする値になるように、
光検出器の４分割された各検出領域からの各検出信号を増幅する各フォーカスサーボ用駆
動アンプのゲインを調整の初期値として設定し、前記フォーカスエラー信号の振幅レベル
を調整するフォーカスエラー信号振幅レベル調整手段と、前記第１の処理期間と後記第３
の処理期間との間の第２の処理期間に、前記各検出領域からの検出信号の振幅レベルを測
定する検出信号振幅レベル測定手段と、この検出信号振幅レベル測定手段により測定され
た各検出信号の振幅レベルに基づいてクロストークをキャンセルできるように、前記４分
割された各検出領域の対角同士の検出領域からの検出信号の振幅レベルよりゲイン差を算
出し、振幅レベルが大きい方の検出信号を出力する該当フォーカスサーボ用駆動アンプの
ゲインは前記ゲイン差だけ下げ、振幅レベルが小さい方の検出信号を出力する該当フォー
カスサーボ用駆動アンプのゲインは前記ゲイン差だけ上げるクロストークキャンセル調整
手段と、前記第１の処理期間において光ディスクがＣＤであると判別された場合に、前記
光ピックアップがＣＤ用レーザ光をＣＤに照射してフォーカスサーチを行う第３の処理期
間に、前記フォーカスエラー信号の振幅レベルを測定するフォーカスエラー信号振幅レベ
ル測定手段と、このフォーカスエラー信号振幅レベル測定手段により測定されたフォーカ
スエラー信号の振幅レベルに基づいて前記フォーカスエラー信号のＳ字バランス調整を行
うＳ字バランス調整手段と、このＳ字バランス調整手段によりフォーカスエラー信号のＳ
字バランス調整が行われた後、前記フォーカスサーボの制御をオンさせるフォーカスオン
手段とを、サーボ制御部に設けたので、各検出領域からの検出信号に対する各フォーカス
サーボ用駆動アンプのゲインは個別に調整され、これにより、各検出領域の位置バランス
ずれがあっても、各フォーカスサーボ用駆動アンプから出力される各検出信号のレベルが
同じようになり、これにより、クロストーク量が軽減することができ、これにより、クロ
ストーク量が軽減することができ、この結果、光ピックアップの光ディスク（この場合、
特にＣＤ）に対するシークミスや光ピックアップの発振現象を抑え、シーク中のフォーカ
ス外れを防止することができる。
【００２９】
また、本発明によれば、フォーカスサーチを行うためのフォーカスエラー信号の振幅レ
ベルを測定し、前記測定されたフォーカスエラー信号の振幅レベルが目標とする値になる
ように、光検出器の４分割された各検出領域からの各検出信号を増幅する各フォーカスサ
ーボ用駆動アンプのゲインを調整の初期値として設定して、前記フォーカスエラー信号の
振幅レベルを調整し、次に、前記各検出領域からの検出信号の振幅レベルを測定し、この
測定した各検出信号の振幅レベルに基づいてクロストークをキャンセルできるように、該
当フォーカスサーボ用駆動アンプのゲインを調整する機能をサーボ制御部に設けたので、
各検出領域からの検出信号に対する各フォーカスサーボ用駆動アンプのゲインは個別に調
整され、各検出領域の位置バランスずれがあっても、各フォーカスサーボ用駆動アンプか
ら出力される各検出信号のレベルが同じようになり、これにより、クロストーク量が軽減
することができ、この結果、光ピックアップの光ディスクに対するシークミスや光ピック
アップの発振現象を抑え、シーク中のフォーカス外れを防止することができる。
【００３０】
また、本発明によれば、光ピックアップがＣＤ用レーザ光をＣＤに照射して、光ディス
クがＣＤである判別を行うための第１の処理期間に、フォーカスサーチを行うためのフォ
ーカスエラー信号の振幅レベルを測定するフォーカスエラー信号振幅レベル測定手段と、
前記測定されたフォーカスエラー信号の振幅レベルが目標とする値になるように、光検出
器の４分割された各検出領域からの各検出信号を増幅する各フォーカスサーボ用駆動アン
プのゲインを調整の初期値として設定し、前記フォーカスエラー信号の振幅レベルを調整
するフォーカスエラー信号振幅レベル調整手段と、前記第１の処理期間と後記第３の処理
期間との間の第２の処理期間に、前記各検出領域からの検出信号の振幅レベルを測定する
検出信号振幅レベル測定手段と、この検出信号振幅レベル測定手段により測定された各検
出信号の振幅レベルに基づいてクロストークをキャンセルできるように、該当フォーカス
サーボ用駆動アンプのゲインを調整するクロストークキャンセル調整手段と、前記第１の
処理期間において光ディスクがＣＤであると判別された場合に、前記光ピックアップがＣ
Ｄ用レーザ光をＣＤに照射してフォーカスサーチを行う第３の処理期間に、前記フォーカ
スエラー信号の振幅レベルを測定するフォーカスエラー信号振幅レベル測定手段と、この
フォーカスエラー信号振幅レベル測定手段により測定されたフォーカスエラー信号の振幅
レベルに基づいて前記フォーカスエラー信号のＳ字バランス調整を行うＳ字バランス調整
手段と、このＳ字バランス調整手段によりフォーカスエラー信号のＳ字バランス調整が行
われた後、前記フォーカスサーボの制御をオンさせるフォーカスオン手段とを、サーボ制
御部に設けたので、各検出領域からの検出信号に対する各フォーカスサーボ用駆動アンプ
のゲインは個別に調整され、各検出領域の位置バランスずれがあっても、各フォーカスサ
ーボ用駆動アンプから出力される各検出信号のレベルが同じようになり、これにより、ク
ロストーク量が軽減することができ、この結果、光ピックアップの光ディスク（この場合
、特にＣＤ）に対するシークミスや光ピックアップの発振現象を抑え、シーク中のフォー
カス外れを防止することができる。
【発明を実施するための最良の形態】
【００３１】
以下、添付図面を参照しつつ、本発明の実施の形態について説明する。図１は本発明の
一実施形態に係る光ディスク装置の構成を示すブロック図である。ここでは、ＤＶＤレコ
ーダなどの光ディスク装置の構成について説明するが、ＤＶＤプレイヤなどの光ディスク
装置についても、同じようにフォーカスゲインを変更する処理を適用できることは言うま
でもない。
【００３２】
この光ディスク装置は、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００３３】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００３４】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００３５】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００３６】
また、この光ディスク装置は、システムコントローラ２２に対して赤外線信号により、
再生指示を与えるための再生キー、再生停止を指示するための停止キー、記録指示を与え
るための記録キー、および電源キーなどの各種操作キーを有するリモコン２１と、装置全
体を制御する前記システムコントローラ２２とを備えている。
【００３７】
また、この光ディスク装置は、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４と、このＣＰＵ２４の処理に必要なデータを一時的に格納するＲＡＭ２７
とを備えている。
【００３８】
また、この光ディスク装置は、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００３９】
図２は図１中のサーボ制御部４においてフォーカスサーボの構成を説明するためのブロ
ック図である。図２において、サーボ制御部４は、ＲＦアンプ６からのＲＦ信号に含まれ
るフォーカスエラー信号を検出するフォーカスエラー信号検出回路４１と、前記フォーカ
スエラー信号を入力して増幅するアンプ４２と、このアンプ４２からのフォーカスエラー
信号を入力して不要な周波数成分を除去するフィルタ４３と、このフィルタ４３を通過し
たフォーカスエラー信号に基づいてフォーカスドライブ信号を出力して光ピックアップ２
のフォーカスアクチュエータ２ａを駆動させるフォーカスドライブ回路４４とを備えてい
る。
【００４０】
また、サーボ制御部４は、本実施形態の特徴として、光ピックアップ２がＣＤ用レーザ
光をＣＤに照射して、光ディスクがＣＤである判別を行うための第１の処理期間に、フォ
ーカスサーチを行うためのフォーカスエラー信号の振幅レベルを測定するＦＥ（フォーカ
スエラー）信号振幅レベル測定手段４５と、前記測定されたフォーカスエラー信号の振幅
レベルが目標とする値になるように、光検出器２ｂの４分割された各検出領域からの各検
出信号を増幅する各フォーカスサーボ用駆動アンプのゲインを調整の初期値として設定し
、前記フォーカスエラー信号の振幅レベルを調整するＦＥ（フォーカスエラー）信号振幅
レベル調整手段４６とを有する。
【００４１】
また、サーボ制御部４は、前記第１の処理期間と後記第３の処理期間との間の第２の処
理期間に、前記各検出領域からの検出信号の振幅レベルを測定する検出信号振幅レベル測
定手段４７と、この検出信号振幅レベル測定手段４７により測定された各検出信号の振幅
レベルに基づいてクロストークをキャンセルできるように、前記４分割された各検出領域
の対角同士の検出領域からの検出信号の振幅レベルよりゲイン差を算出し、振幅レベルが
大きい方の検出信号を出力する該当フォーカスサーボ用駆動アンプのゲインは前記ゲイン
差だけ下げ、振幅レベルが小さい方の検出信号を出力する該当フォーカスサーボ用駆動ア
ンプのゲインは前記ゲイン差だけ上げるクロストークキャンセル調整手段４８とを有する
。
【００４２】
更に、サーボ制御部４は、前記第１の処理期間において光ディスクがＣＤであると判別
された場合に、光ピックアップ２がＣＤ用レーザ光をＣＤに照射してフォーカスサーチを
行う第３の処理期間に、前記フォーカスエラー信号の振幅レベルを測定するＦＥ（フォー
カスエラー）信号振幅レベル測定手段４９と、このＦＥ信号振幅レベル測定手段４９によ
り測定されたフォーカスエラー信号の振幅レベルに基づいて前記フォーカスエラー信号の
Ｓ字バランス調整を行うＳ字バランス調整手段５０と、このＳ字バランス調整手段５０に
よりフォーカスエラー信号のＳ字バランス調整が行われた後、フォーカスサーボの制御を
オンさせるフォーカスオン手段５１とを有する。
【００４３】
図３は本実施形態における光ピックアップの検出領域とＲＦアンプに含まれるエラー信
号生成回路の回路図である。図３に示すように、光ピックアップ２の光検出器２ｂは、ト
ラック方向軸３９と、このトラック方向軸３９に直交する軸４０とによって、分割された
４つの検出領域Ａ，Ｂ，Ｃ，Ｄを有する。エラー信号生成回路３７は、４つの加算器３１
，３２，３４，３５と２つの減算器３３，３６とから構成される。
【００４４】
加算器３１は、４つの検出領域Ａ，Ｂ，Ｃ，Ｄのうちの検出領域Ａ，Ｃの出力を加算す
る。また、加算器３２は、４つの検出領域Ａ，Ｂ，Ｃ，Ｄのうちの検出領域Ｂ，Ｄの出力
を加算する。そして、減算器３３は、加算器３１の出力から加算器３２の出力を減算し、
減算結果をフォーカスエラー信号ＦＥとして出力する。
【００４５】
加算器３４は、４つの検出領域Ａ，Ｂ，Ｃ，Ｄのうちの検出領域Ａ，Ｄの出力を加算す
る。また、加算器３５は、４つの検出領域Ａ，Ｂ，Ｃ，Ｄのうちの検出領域Ｂ，Ｃの出力
を加算する。そして、減算器３６は、加算器３４の出力から加算器３５の出力を減算し、
減算結果をプッシュプル方式のトラッキングエラー信号ＴＥとして出力する。
【００４６】
図４は本実施形態においてフォーカスエラー信号にクロストーク信号が乗っている状態
を説明するための信号波形図である。図４において、ラインＬ１，Ｌ２はシーク中にフォ
ーカス外れが起こる可能性があるクロストークの信号レベルの閾値のレベルを示す。ライ
ンＬ３はクロストーク信号が乗っているときのフォーカスエラー信号を示す。ラインＬ４
はクロストーク信号が乗っていない通常のフォーカスエラー信号を示す。ラインＬ３で示
すようにフォーカスエラー信号の振幅が大きくなると、光ピックアップ２のシークミスや
発振現象が起きることになる。
【００４７】
クロストーク現象を式で説明すると、トラッキングエラー信号をＴＥ、フォーカスエラ
ー信号をＦＥ、検出領域Ａの出力信号である検出信号をａ、検出領域Ｂの出力信号である
検出信号をｂ、検出領域Ｃの出力信号である検出信号をｃ、検出領域Ｄの出力信号である
検出信号をｄとした場合、ＴＥ＝（ａ＋ｄ）−（ｂ＋ｃ）＝（ａ−ｂ）＋（ｄ−ｃ）とな
り、ＦＥ＝（ａ＋ｃ）−（ｂ＋ｄ）＝（ａ−ｂ）−（ｄ−ｃ）となる。これらの式による
と、ＴＥの成分（ａ−ｂ）と（ｄ−ｃ）がＦＥにも存在するので、トラッキングエラー信
号の成分がフォーカスエラー信号に影響を与え、クロストーク現象を引き起こすことにな
る。
【００４８】
図５は本実施形態においてＲＦアンプに含まれるフォーカスエラー信号生成回路の回路
図である。図５において、フォーカスエラー信号生成回路３７ａは、図３に示すエラー信
号生成回路３７におけるフォーカスエラー信号生成回路の部分を詳細に示したものである
。図５において、図３に示す構成要素に対応するものには、同一の符号を付す。
【００４９】
図５において、フォーカスエラー信号生成回路３７ａは、ＲＦアンプ６を構成するＩＣ
（集積回路）内部に含まれる。ＶＩＮ５は光検出器２ｂの検出領域Ａの出力信号である検
出信号ａを入力するための入力端子であり、ＶＩＮ６は光検出器２ｂの検出領域Ｂの出力
信号である検出信号ｂを入力するための入力端子である。また、ＶＩＮ７は光検出器２ｃ
の検出領域Ｃの出力信号である検出信号ｃを入力するための入力端子であり、ＶＩＮ８は
光検出器２ｄの検出領域Ｄの出力信号である検出信号ｄを入力するための入力端子である
。
【００５０】
ＶＩＮ５に入力された検出領域Ａの出力信号である検出信号ａは、２段のフォーカスサ
ーボ用駆動アンプａ１，ａ２で増幅されて加算器３１に入力される。ＶＩＮ６に入力され
た検出領域Ｂの出力信号である検出信号ｂは、２段のフォーカスサーボ用駆動アンプｂ１
，ｂ２で増幅されて加算器３２に入力される。また、ＶＩＮ７に入力された検出領域Ｃの
出力信号である検出信号ｃは、２段のフォーカスサーボ用駆動アンプｃ１，ｃ２で増幅さ
れて加算器３１に入力される。ＶＩＮ８に入力された検出領域Ｄの出力信号である検出信
号ｄは、２段のフォーカスサーボ用駆動アンプｄ１，ｄ２で増幅されて加算器３２に入力
される。フォーカスサーボ用駆動アンプａ１〜ｄ２は、サーボ制御部４により制御される
ゲイン変化処理回路Ｇによりゲインが調整される。
【００５１】
加算器３１は、フォーカスサーボ用駆動アンプａ２の出力信号とフォーカスサーボ用駆
動アンプｃ２の出力信号とを加算する。加算器３２は、フォーカスサーボ用駆動アンプｂ
２の出力信号とフォーカスサーボ用駆動アンプｄ２の出力信号とを加算する。減算器３３
は、加算器３１の出力信号から加算器３２の出力信号を減算し、この減算結果をフォーカ
スエラー信号ＦＥとして出力する。
【００５２】
図６は本実施形態においてフォーカスサーチ時におけるサーボ制御部から出力されるフ
ォーカスドライブ信号の電圧の変化を示す信号波形図である。図６において、時点ｔ１か
ら時点ｔ２の処理期間Ｆ１では、光ピックアップ２からのＤＶＤ用レーザを光ディスクに
照射してフォーカスサーチをしてディスク判別（装置に挿入されている光ディスクがＤＶ
Ｄであることを判別）を行う。時点ｔ２から時点ｔ３の処理期間Ｆ２でも同じく、光ピッ
クアップ２からのＤＶＤ用レーザ光を光ディスクに照射してフォーカスサーチをしてディ
スク判別（装置に挿入されている光ディスクがＤＶＤであることを判別）を行う。ＤＶＤ
であることの判別は、処理期間Ｆ１と処理期間Ｆ２で行っているのは、ＤＶＤ層とＣＤ層
を有するハイブリッド層のＤＶＤも存在するからで、普通のＤＶＤとハイブリッド層のＤ
ＶＤとを区別するためである。
【００５３】
時点ｔ３から時点ｔ４の処理期間（第１の処理期間）Ｆ３では、光ピックアップ２から
のＣＤ用レーザ光をＣＤに照射してフォーカスサーチをしてディスク判別（装置に挿入さ
れている光ディスクがＣＤであることを判別）を行う。時点ｔ４から時点ｔ５の処理期間
（第３の処理期間）Ｆ５では、処理期間Ｆ１，Ｆ２，Ｆ３でディスク判別の結果、挿入さ
れている光ディスクがＤＶＤであれば、光ピックアップ２はＤＶＤ用レーザ光をＤＶＤに
照射してフォーカスサーチを行い、一方、挿入されている光ディスクがＣＤであれば、光
ピックアップ２はＣＤ用レーザ光をＣＤに照射してフォーカスサーチを行う。
【００５４】
処理期間Ｆ３と処理期間Ｆ５との間の処理期間（第２の処理期間）Ｆ４は、従来は処理
に使用されていなかったが、本実施形態では、検出領域Ａ，Ｂ，Ｃ，Ｄの出力信号である
検出信号ａ，ｂ，ｃ，ｄの振幅レベルを個別に測定してフォーカスサーボ用駆動アンプａ
２，ｂ２，ｃ２，ｄ２の各ゲインを調整している。なお、ここでは、フォーカスサーボ用
駆動アンプａ２，ｂ２，ｃ２，ｄ２の各ゲインを調整することにするが、フォーカスサー
ボ用駆動アンプａ１，ｂ１，ｃ１，ｄ１の各ゲインも調整しても良い。
【００５５】
時点ｔ６から時点ｔ７との間の処理期間Ｆ６では、システムコントローラ２２は、処理
期間Ｆ５のフォーカスサーチで測定したフォーカスエラー信号の振幅レベルを参照してフ
ォーカスオンコマンドを発行し、時点ｔ７でサーボ制御部４のフォーカスサーボをオンさ
せる。
【００５６】
図７は本実施形態においてＣＤ挿入からフォーカスサーボがオンするまでの調整処理を
説明するためのフローチャートである。このフローチャートおよび図１〜図６を参照して
ＣＤ挿入からフォーカスサーボがオンするまでの調整処理について説明する。
【００５７】
この光ディスク装置にＣＤを挿入すると（ステップＳ１）、このＣＤを立ち上げる（ス
テップＳ２）。即ち、ＣＤを光ディスク装置に挿入した後、ＣＤは回転し、ＣＤから記録
情報が光ピックアップ２により読み取られ、光ピックアップ２の光検出器２ｂ（図２参照
）からはＲＦ信号が出力され、このＲＦ信号はＲＦアンプ６により増幅され、サーボ制御
部４に入力される。
【００５８】
サーボ制御部４では、入力されたＲＦ信号に含まれるトラッキングエラー信号をトラッ
キングエラー信号検出回路（図示せず）により検出し、このトラッキングエラー信号をト
ラッキングドライブ回路（図示せず）に入力することにより、トラッキング駆動信号を生
成して光ピックアップ２のトラッキングアクチュエータ（図示せず）に供給し、トラッキ
ングアクチュエータを駆動してトラッキングサーボの制御を行うと共に、入力されたＲＦ
信号に含まれるフォーカスエラー信号をフォーカスエラー信号検出回路４１（図２参照）
により検出し、このフォーカスエラー信号を、アンプ４２およびフィルタ４３を介してフ
ォーカスドライブ回路４４に入力することにより、フォーカスドライブ信号を生成して光
ピックアップ２のフォーカスアクチュエータ２ａ（図２参照）に供給し、フォーカスアク
チュエータ２ａを駆動してフォーカスサーボの制御を行うようになっている。
【００５９】
ところで、このようなフォーカスサーボの制御を行う前に、ＣＤを立ち上げた後（ステ
ップＳ２）、サーボ制御部４のＦＥ信号振幅レベル測定手段４５は、光ピックアップ２が
ＣＤ用レーザ光をＣＤに照射して、光ディスクがＣＤである判別を行うための処理期間Ｆ
３において、フォーカスサーチを行うためのフォーカスエラー信号の振幅レベルを測定し
（ステップＳ３）、ＦＥ信号振幅レベル調整手段４６は、前記測定されたフォーカスエラ
ー信号の振幅レベルが目標とする値になるように、例えばフォーカスサーボ用駆動アンプ
ａ２，ｂ２，ｃ２，ｄ２のゲインを調整の初期値（共通の値）として設定し、フォーカス
エラー信号の振幅レベルを調整する（ステップＳ４）。なお、ここでは、１段目のフォー
カスサーボ用駆動アンプａ１〜ｄ１のゲインが同じ値に予め固定されているとして、２段
目のフォーカスサーボ用駆動アンプａ２〜ｄ２のゲインの初期値を設定している。
【００６０】
次に、処理期間Ｆ４において、検出信号振幅レベル測定手段４７は、各検出領域Ａ，Ｂ
，Ｃ，Ｄからの検出信号ａ，ｂ，ｃ，ｄの振幅レベルを測定する（ステップＳ５）。即ち
、検出信号ａ，ｂ，ｃ，ｄの最大値および最小値をそれぞれ測定し、この測定値より各振
幅レベル（ｐ−ｐレベル）を算出する。そして、クロストークキャンセル調整手段４８は
、検出信号振幅レベル測定手段４７により測定された各検出信号ａ，ｂ，ｃ，ｄの振幅レ
ベルに基づいてクロストークをキャンセルできるように、各検出領域Ａ，Ｂ，Ｃ，Ｄの対
角同士の検出領域からの検出信号の振幅レベルよりゲイン差を算出し、振幅レベルが大き
い方の検出信号を出力する該当フォーカスサーボ用駆動アンプのゲインは前記ゲイン差だ
け下げ、振幅レベルが小さい方の検出信号を出力する該当フォーカスサーボ用駆動アンプ
のゲインは前記ゲイン差だけ上げる調整を行う（ステップＳ６）。
【００６１】
例えば、入力端子ＶＩＮ５への検出信号ａが入力端子ＶＩＮ７への検出信号ｃの２倍で
あれば、フォーカスサーボ用駆動アンプａ１，ａ２で増幅された検出信号ａとフォーカス
サーボ用駆動アンプｃ１，ｃ２で増幅された検出信号ｃとが等しくなるように、フォーカ
スサーボ用駆動アンプａ２のゲインをフォーカスサーボ用駆動アンプｃ２のゲインの半分
にする。また、入力端子ＶＩＮ５への検出信号ａが入力端子ＶＩＮ７への検出信号ｃの半
分であれば、フォーカスサーボ用駆動アンプａ１，ａ２で増幅された検出信号ａとフォー
カスサーボ用駆動アンプｃ１，ｃ２で増幅された検出信号ｃとが等しくなるように、フォ
ーカスサーボ用駆動アンプａ２のゲインをフォーカスサーボ用駆動アンプｃ２のゲインの
２倍にする。この場合、該当のフォーカスサーボ用駆動アンプのゲインを上げる場合は、
このときの該当のフォーカスサーボ用駆動アンプの出力信号である検出信号のレベルが本
来のレベルよりも低いときであり、逆に、該当のフォーカスサーボ用駆動アンプのゲイン
を下げる場合は、このときの該当のフォーカスサーボ用駆動アンプの出力信号である検出
信号のレベルが本来のレベルよりも高いときである。
【００６２】
処理期間Ｆ３において装置に挿入されている光ディスクがＣＤであると判別された場合
に、ＦＥ信号振幅レベル測定手段４９は、光ピックアップ２がＣＤ用レーザ光をＣＤに照
射してフォーカスサーチを行う処理期間Ｆ５に、前記フォーカスエラー信号の振幅レベル
を測定し（ステップＳ７）、Ｓ字バランス調整手段５０は、ＦＥ信号振幅レベル測定手段
４９により測定されたフォーカスエラー信号の振幅レベルに基づいて、前記フォーカスエ
ラー信号のＳ字バランス調整を行う（ステップＳ８）。この後、フォーカスオン手段５１
は、フォーカスサーボの制御をオンさせる（ステップＳ９）。
【００６３】
以上説明したように本実施形態によれば、各検出領域からの検出信号に対する各フォー
カスサーボ用駆動アンプのゲインは個別に調整され、各検出領域の位置バランスずれがあ
っても、各フォーカスサーボ用駆動アンプから出力される各検出信号のレベルが同じよう
になり、これにより、クロストーク量が軽減することができ、この結果、光ピックアップ
のＣＤに対するシークミスや光ピックアップの発振現象を抑え、シーク中のフォーカス外
れを防止することができる。
【図面の簡単な説明】
【００６４】
【図１】本発明の一実施形態に係る光ディスク装置の構成を示すブロック図である。
【図２】図１中のサーボ制御部においてフォーカスサーボの構成を説明するためのブロック図である。
【図３】本実施形態における光ピックアップの検出領域とＲＦアンプに含まれるエラー信号生成回路の回路図である。
【図４】本実施形態においてフォーカスエラー信号にクロストーク信号が乗っている状態を説明するための信号波形図である。
【図５】本実施形態においてＲＦアンプに含まれるフォーカスエラー信号生成回路の回路図である。
【図６】本実施形態においてフォーカスサーチ時におけるサーボ制御部から出力されるフォーカスドライブ信号の電圧の変化を示す信号波形図である。
【図７】本実施形態においてＣＤ挿入からフォーカスサーボがオンするまでの調整処理を説明するためのフローチャートである。
【図８】従来の光ディスク装置においてＲＦアンプに含まれるフォーカスエラー信号生成回路の回路図である。
【符号の説明】
【００６５】
１    光ディスク
２    光ピックアップ
２ｂ    光検出器
４    サーボ制御部
４５    フォーカスエラー信号振幅レベル測定手段
４６    フォーカスエラー信号振幅レベル調整手段
４７    検出信号振幅レベル測定手段
４８    クロストークキャンセル調整手段
４９    フォーカスエラー信号振幅レベル測定手段
５０    Ｓ字バランス調整手段
５１    フォーカスオン手段
ａ１〜ｄ２    フォーカスサーボ用駆動アンプ
【図１】
2007058911.tif 000003
【図２】
2007058911.tif 000004
【図３】
2007058911.tif 000005
【図４】
2007058911.tif 000006
【図５】
2007058911.tif 000007
【図６】
2007058911.tif 000008
【図７】
2007058911.tif 000009
【図８】
2007058911.tif 000010